(57)【要約】  本明細書は、無線通信システムにおいてＣＳＩ（Channel State Information）を報告（report）する方法を提供することに目的がある。  より具体的に、端末により行われる方法は、ＣＳＩ報告をトリガーする（triggering）情報を含むダウンリンク制御情報（downlink control information：ＤＣＩ）を基地局から受信する段階と、前記ＣＳＩを計算するための時間と関連したシンボルの数に基づいて前記ＣＳＩを計算（computation）する段階と、前記ＣＳＩ報告を基地局に送信する段階とを含み、前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及び、ＣＳＩコードブックタイプ（codebook type）に関する情報に基づいて定義されることを特徴とする。【選択図】図１４
2020504512.tif 000002
【特許請求の範囲】
【請求項１】
無線通信システムにおいてＣＳＩ（Channel State Information）を報告（report）する方法であって、端末により行われる方法は、
ＣＳＩ報告をトリガーする（triggering）情報を含むダウンリンク制御情報（downlink control information：ＤＣＩ）を基地局から受信する段階と、
前記ＣＳＩを計算するための時間と関連したシンボルの数に基づいて前記ＣＳＩを計算（computation）する段階と、
前記ＣＳＩ報告を基地局に送信する段階と、を含み、
前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及び、ＣＳＩコードブックタイプ（codebook type）に関する情報に基づいて定義される、ことを特徴とする方法。
【請求項２】
前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信する段階をさらに含むことを特徴とする、請求項１に記載の方法。
【請求項３】
前記制御情報は、ＲＲＣシグナリング（signaling）に含まれることを特徴とする、請求項１に記載の方法。
【請求項４】
前記帯域幅単位は、広帯域（wideband）又はサブバンド（subband）を示すことを特徴とする、請求項１に記載の方法。
【請求項５】
前記ＣＳＩコードブックタイプは、ＣＳＩコードブックタイプ１又はＣＳＩコードブックタイプ２を示すことを特徴とする、請求項１に記載の方法。
【請求項６】
無線通信システムにおいてＣＳＩ（Channel State Information）を報告（report）するための端末であって、
無線信号を送受信するためのＲＦ（Radio Frequency）モジュールと、
前記ＲＦモジュールと機能的に接続されているプロセッサと、を含み、
前記プロセッサは、
ＣＳＩ報告をトリガーする（triggering）情報を含むダウンリンク制御情報（downlink control information：ＤＣＩ）を基地局から受信し、
前記ＣＳＩを計算するための時間と関連したシンボルの数に基づいて前記ＣＳＩを計算（computation）し、
前記ＣＳＩ報告を基地局に送信し、
前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及び、ＣＳＩコードブックタイプ（codebook type）に関する情報に基づいて定義される、ことを特徴とする端末。
【請求項７】
前記プロセッサは、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信することを特徴とする、請求項６に記載の端末。
【請求項８】
前記制御情報は、ＲＲＣシグナリング（signaling）に含まれることを特徴とする、請求項６に記載の端末。
【請求項９】
前記帯域幅単位は、広帯域（wideband）又はサブバンド（subband）を示すことを特徴とする、請求項６に記載の端末。
【請求項１０】
前記ＣＳＩコードブックタイプは、ＣＳＩコードブックタイプ１又はＣＳＩコードブックタイプ２を示すことを特徴とする、請求項６に記載の端末。
【発明の詳細な説明】
【技術分野】
【０００１】
本明細書は、無線通信システムに関し、より詳細には、チャネル状態情報（channel state information：ＣＳＩ）の報告を行うための方法及びこれをサポートする装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によってリソースの不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅に増加した接続デバイス数の収容、非常に低いエンドツーエンド遅延（End-to-End Latency）、高エネルギー効率をサポートできなければならない。このために、デュアルコネクティビティ（Dual Connectivity）、大規模ＭＩＭＯ（Massive MIMO：Massive Multiple Input Multiple Output）、全二重（In-band Full Duplex）、非直交多元接続（ＮＯＭＡ：Non-Orthogonal Multiple Access）、超広帯域（Super wideband）サポート、端末ネットワーキング（Device Networking）等、多様な技術が研究されている。
【発明の概要】
【発明が解決しようとする課題】
【０００４】
本明細書は、アンテナポートの数、ＣＳＩコードブックタイプなど、ＣＳＩフィードバックに含まれる情報によって異なるＣＳＩフィードバックタイミングを設定する方法を提供することを目的とする。
【０００５】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００６】
本明細書は、無線通信システムにおいてＣＳＩ（Channel State Information）を報告（report）する方法を提供する。
【０００７】
本明細書において、端末により行われる方法は、ＣＳＩ報告をトリガーする（triggering）情報を含むダウンリンク制御情報（downlink control information：ＤＣＩ）を基地局から受信する段階と、前記ＣＳＩを計算するための時間と関連したシンボルの数に基づいて前記ＣＳＩを計算（computation）する段階と、前記ＣＳＩ報告を基地局に送信する段階とを含み、前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及び、ＣＳＩコードブックタイプ（codebook type）に関する情報に基づいて定義されることを特徴とする。
【０００８】
また、本明細書において、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信する段階をさらに含むことを特徴とする。
【０００９】
また、本明細書において、前記制御情報は、ＲＲＣシグナリング（signaling）に含まれることを特徴とする。
【００１０】
また、本明細書において、前記帯域幅単位は、広帯域（wideband）又はサブバンド（subband）を示すことを特徴とする。
【００１１】
また、本明細書において、前記ＣＳＩコードブックタイプは、ＣＳＩコードブックタイプ１又はＣＳＩコードブックタイプ２を示すことを特徴とする。
【００１２】
また、本明細書において、無線通信システムにおいてＣＳＩ（Channel State Information）を報告（report）するための端末は、無線信号を送受信するためのＲＦ（Radio Frequency）モジュールと、前記ＲＦモジュールと機能的に接続されているプロセッサと、を含み、前記プロセッサは、ＣＳＩ報告をトリガーする（triggering）情報を含むダウンリンク制御情報（downlink control information：ＤＣＩ）を基地局から受信し、前記ＣＳＩを計算するための時間と関連したシンボルの数に基づいて前記ＣＳＩを計算（computation）し、前記ＣＳＩ報告を基地局に送信し、前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及び、ＣＳＩコードブックタイプ（codebook type）に関する情報に基づいて定義されることを特徴とする。
【００１３】
また、本明細書において、前記プロセッサは、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信することを特徴とする。
【００１４】
また、本明細書において、前記制御情報は、ＲＲＣシグナリング（signaling）に含まれることを特徴とする。
【００１５】
また、本明細書において、前記帯域幅単位は、広帯域（wideband）又はサブバンド（subband）を示すことを特徴とする。
【００１６】
また、本明細書において、前記ＣＳＩコードブックタイプは、ＣＳＩコードブックタイプ１又はＣＳＩコードブックタイプ２を示すことを特徴とする。
【発明の効果】
【００１７】
本明細書は、ＣＳＩフィードバックに含まれた情報によって異なるＣＳＩフィードバックタイミングを異なるように設定することにより、動的なＣＳＩ報告を行うことができるという効果がある。
【００１８】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００１９】
本発明に関する理解を助けるために詳細な説明の一部として含まれる添付図面は、本発明に対する実施形態を提供し、詳細な説明と共に本発明の技術的特徴を説明する。
【００２０】
【図１】本発明が適用できる無線通信システムにおける無線フレームの構造を示す。
【図２】本発明が適用できる無線通信システムにおける１つのダウンリンクスロットに対するリソースグリッド（resource grid）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本発明が適用できるＣＳＩフィードバックタイミングの一例を示す図である。
【図６】本発明が適用できるＣＳＩフィードバックタイミングの他の一例を示す図である。
【図７】本発明が適用できるＣＳＩフィードバックタイミングの他の一例を示す図である。
【図８】本発明が適用できるＣＳＩフィードバックタイミングの他の一例を示す図である。
【図９】端末のプロセッサの単位時間当たりＣＳＩ演算量を示す図である。
【図１０】端末のプロセッサに割り当てられたＣＳＩ計算を示す図である。
【図１１】端末の多様なプロセッサ形態を示す図である。
【図１２】多様なプロセッサの演算能力を示す一例である。
【図１３】多様なプロセッサの演算能力を示す他の一例である。
【図１４】本明細書において提案するＣＳＩ報告を行う端末の動作方法の一例を示すフローチャートである。
【図１５】本明細書において提案するＣＳＩ報告を受信する基地局の動作方法の一例を示すフローチャートである。
【図１６】本明細書において提案する方法が適用できる無線通信装置のブロック構成図を示す。
【図１７】本発明の一実施形態による通信装置のブロック構成図を示す。
【図１８】本明細書において提案する方法が適用できる無線通信装置のＲＦモジュールの一例を示す図である。
【図１９】本明細書において提案する方法が適用できる無線通信装置のＲＦモジュールのまた他の一例を示す図である。
【発明を実施するための形態】
【００２１】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２２】
いくつかの場合、本発明の概念が曖昧になることを避けるために、公知の構造及び装置は省略されるか、又は各構造及び装置の核心機能を中心にしたブロック図形式で示されることができる。
【００２３】
本明細書において基地局は、端末と直接的に通信を行うネットワークの終端ノード（terminal node）としての意味を有する。本文書において基地局により行われると説明された特定の動作は、場合によっては、基地局の上位ノード（upper node）により行われても良い。すなわち、基地局を含む複数のネットワークノード（network nodes）からなるネットワークにおいて端末との通信のために行われる多様な動作は、基地局又は基地局以外の他のネットワークノードにより行われうることは明らかである。「基地局（ＢＳ：Base Station）」は、固定局（fixed station）、Ｎｏｄｅ Ｂ、ｅＮＢ（evolved-NodeB）、ＢＴＳ（base transceiver system）、アクセスポイント（ＡＰ：Access Point）、ＲＲＨ（remote radio head）、ＴＰ（transmission point）、ＲＰ（reception point）、中継器（relay）などの用語により代替されることができる。また、「端末（Terminal）」は、固定されるか、又は移動性を有することができ、ＵＥ（User Equipment）、ＭＳ（Mobile Station）、ＵＴ（user terminal）、ＭＳＳ（Mobile subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に代替されることができる。
【００２４】
以下、ダウンリンク（ＤＬ：downlink）は、基地局から端末への通信を意味し、アップリンク（ＵＬ：uplink）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２５】
以下の説明において用いられる特定用語は、本発明の理解に役立つために提供されたものであり、このような特定用語の使用は、本発明の技術的思想から外れない範囲内で他の形態に変更されることができる。
【００２６】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような多様な無線接続システムに利用されることができる。ＣＤＭＡは、ＵＴＲＡ（universal terrestrial radio access）又はＣＤＭＡ２０００のような無線技術（radio technology）により実現されることができる。ＴＤＭＡは、ＧＳＭ（global system for mobile communications）／ＧＰＲＳ（general packet radio service）／ＥＤＧＥ（enhanced data rates for GSM evolution）のような無線技術により実現されることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などのような無線技術により実現されることができる。ＵＴＲＡは、ＵＭＴＳ（universal mobile telecommunications system）の一部である。３ＧＰＰ（3rd generation partnership project） ＬＴＥ（long term evolution）は、Ｅ−ＵＴＲＡを使用するＥ−ＵＭＴＳ（evolved UMTS）の一部であり、ダウンリンクにおいてＯＦＤＭＡを採用し、アップリンクにおいてＳＣ−ＦＤＭＡを採用する。ＬＴＥ−Ａ（advanced）は、３ＧＰＰ ＬＴＥの進化である。
【００２７】
本発明の実施の形態は、無線接続システムであるＩＥＥＥ ８０２、３ＧＰＰ及び３ＧＰＰ２のうち少なくとも１つに開示された標準文書により裏付けられることができる。すなわち、本発明の実施の形態のうち、本発明の技術的思想を明確にあらわすために、説明しない段階又は部分は、前記文書により裏付けられることができる。また、本文書に開示しているすべての用語は、前記標準文書により説明されることができる。
【００２８】
説明を明確にするために、３ＧＰＰ ＬＴＥ／ＬＴＥ−Ａを中心に述べるが、本発明の技術的特徴がこれに制限されるものではない。
【００２９】
用語の定義
【００３０】
ｅＬＴＥ ｅＮＢ：ｅＬＴＥ ｅＮＢは、ＥＰＣ（Evolved Packet Core）及びＮＧＣ（Next Generation Core）に対する接続をサポートするｅＮＢの進化（evolution）である。
【００３１】
ｇＮＢ：ＮＧＣとの接続だけでなく、ＮＲをサポートするノード。
【００３２】
新しいＲＡＮ：ＮＲ又はＥ−ＵＴＲＡをサポートするか、ＮＧＣと相互作用する無線アクセスネットワーク。
【００３３】
ネットワークスライス（network slice）:ネットワークスライスは、終端間の範囲とともに特定要求事項を要求する特定市場シナリオに対して最適化されたソリューションを提供するようにオペレータ（operator）により定義されたネットワーク。
【００３４】
ネットワーク機能（network function）:ネットワーク機能は、よく定義された外部インタフェースとよく定義された機能的動作を有するネットワークインフラ内における論理的ノード。
【００３５】
ＮＧ−Ｃ：新しいＲＡＮとＮＧＣの間のＮＧ２リファレンスポイント（reference point）に使用される制御プレーンインタフェース。
【００３６】
ＮＧ−Ｕ：新しいＲＡＮとＮＧＣの間のＮＧ３リファレンスポイント（reference point）に使用されるユーザプレーンインタフェース。
【００３７】
非独立型（Non-standalone）ＮＲ：ｇＮＢがＬＴＥ ｅＮＢをＥＰＣに制御プレーンの接続のためのアンカーとして要求するか、又はｅＬＴＥ ｅＮＢをＮＧＣに制御プレーンの接続のためのアンカーとして要求する配置構成。
【００３８】
非独立型Ｅ−ＵＴＲＡ：ｅＬＴＥ ｅＮＢがＮＧＣに制御プレーンの接続のためのアンカーとしてｇＮＢを要求する配置構成。
【００３９】
ユーザプレーンゲートウェイ：ＮＧ−Ｕインタフェースの終端点。
【００４０】
ヌメロロジー（numerology）：周波数領域において１つのサブキャリア間隔（subcarrier spacing）に対応する。基準サブキャリア間隔（Reference subcarrier spacing）を整数Ｎにスケーリング（scaling）することにより、異なるヌメロロジーが定義されることができる。
【００４１】
ＮＲ:ＮＲ Ｒａｄｉｏ Ａｃｃｅｓｓ又はＮｅｗ Ｒａｄｉｏ
【００４２】
システム一般
【００４３】
図１は、本発明が適用できる無線通信システムにおける無線フレームの構造を示す。
【００４４】
３ＧＰＰ ＬＴＥ／ＬＴＥ−Ａでは、ＦＤＤ（Frequency Division Duplex）に適用できるタイプ１無線フレーム（radio frame）構造とＴＤＤ（Time Division Duplex）に適用できるタイプ２無線フレーム構造をサポートする。
【００４５】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００４６】
図１の（ａ）は、タイプ１無線フレームの構造を示す。タイプ１無線フレームは、全二重（full duplex）及び半二重（half duplex）ＦＤＤに全部適用されることができる。
【００４７】
無線フレーム（radio frame）は、１０個のサブフレーム（subframe）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（time domain）で連続的な２個のスロット（slot）から構成され、サブフレームｉは、スロット２ｉ及びスロット２ｉ＋１から構成される。１つのサブフレームを送信するのにかかる時間をＴＴＩ（transmission time interval）という。例えば、１つのサブフレームは、長さは１ｍｓで、１つのスロットの長さは、０．５ｍｓでありうる。
【００４８】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００４９】
１つのスロットは、時間領域において複数のＯＦＤＭ（orthogonal frequency division multiplexing）シンボルを含み、周波数領域において複数のリソースブロック（ＲＢ：Resource Block）を含む。３ＧＰＰ ＬＴＥは、ダウンリンクにおいてＯＦＤＭＡを使用するから、ＯＦＤＭシンボルは、１つのシンボル区間（symbol period）を表現するためのものである。ＯＦＤＭシンボルは、１つのＳＣ−ＦＤＭＡシンボルまたはシンボル区間ということができる。リソースブロック（resource block）は、リソース割り当て単位で、１つのスロットにおいて複数の連続的な副搬送波（subcarrier）を含む。
【００５０】
図１の（ｂ）は、タイプ２フレーム構造（frame structure type 2）を示す。
【００５１】
タイプ２無線フレームは、各１５３６００＊Ｔ＿ｓ＝５ｍｓの長さの２個のハーフフレーム（ｈａｌｆ ｆｒａｍｅ）から構成される。各ハーフフレームは、３０７２０＊Ｔ＿ｓ＝１ｍｓ長さの５個のサブフレームから構成される。
【００５２】
ＴＤＤシステムのタイプ２フレーム構造においてアップリンク−ダウンリンク構成（uplink-downlink configuration）は、全てのサブフレームに対してアップリンクとダウンリンクが割り当て（又は、予約）されるか否かを表す規則である。
【００５３】
表１は、アップリンク−ダウンリンク構成を示す。
【００５４】
【表１】
2020504512.tif 000003
【００５５】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Downlink Pilot Time Slot）、保護区間（ＧＰ：Guard Period）、ＵｐＰＴＳ（Uplink Pilot Time Slot）の３通りのフィールドから構成されるスペシャルサブフレーム（special subframe）を表す。
【００５６】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００５７】
各サブフレームｉは、各Ｔ＿ｓｌｏｔ＝１５３６０＊Ｔ＿ｓ＝０．５ｍｓの長さのスロット２ｉ及びスロット２ｉ＋１から構成される。
【００５８】
アップリンク−ダウンリンク構成は、７通りに区分されることができ、各構成別にダウンリンクサブフレーム、スペシャルサブフレーム、アップリンクサブフレームの位置及び／または数が異なる。
【００５９】
ダウンリンクからアップリンクに変更される時点またはアップリンクからダウンリンクに切り替えられる時点を切り替え時点（switching point）という。切り替え時点の周期性（Switch-point periodicity）は、アップリンクサブフレームとダウンリンクサブフレームが切り替えられる様相が同様に繰り返される周期を意味し、５ｍｓまたは１０ｍｓが全てサポートされる。５ｍｓのダウンリンク−アップリンク切り替え時点の周期を有する場合には、スペシャルサブフレーム（Ｓ）は、ハーフフレーム毎に存在し、５ｍｓのダウンリンク−アップリンク切り替え時点の周期を有する場合には、１番目のハーフフレームだけに存在する。
【００６０】
全ての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００６１】
このような、アップリンク−ダウンリンク構成はシステム情報であって、基地局と端末がともに知っていることができる。基地局は、アップリンク−ダウンリンク構成情報が変わるたびに構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Physical Downlink control Channel）を介して送信されることができ、放送情報としてブロードキャストチャネル（broadcast channel）を介してセル内の全ての端末に共通に送信されることもできる。
【００６２】
表２は、スペシャルサブフレームの構成（ＤｗＰＴＳ／ＧＰ／ＵｐＰＴＳの長さ）を示す。
【００６３】
【表２】
2020504512.tif 000004
【００６４】
図１の例示による無線フレームの構造は、１つの例示に過ぎず、無線フレームに含まれる副搬送波の数またはサブフレームに含まれるスロットの数、スロットに含まれるＯＦＤＭシンボルの数は、多様に変更されることができる。
【００６５】
図２は、本発明が適用されることができる無線通信システムにおける１つのダウンリンクスロットに対するリソースグリッド（resource grid）を示した図である。
【００６６】
図２に示すように、１つのダウンリンクスロットは、時間領域において複数のＯＦＤＭシンボルを含む。ここで、１つのダウンリンクスロットは、７個のＯＦＤＭシンボルを含み、１つのリソースブロックは、周波数領域において１２個の副搬送波を含むことを例示的に述べるが、これに限定されるものではない。
【００６７】
リソースグリッド上において各要素（element）をリソース要素（resource element）とし、１つのリソースブロック（ＲＢ：resource block）は、１２×７個のリソース要素を含む。ダウンリンクスロットに含まれるリソースブロックの数Ｎ^ＤＬは、ダウンリンク送信帯域幅（bandwidth）に従属する。
【００６８】
アップリンクスロットの構造は、ダウンリンクスロットの構造と同一でありうる。
【００６９】
図３は、本発明が適用されることができる無線通信システムにおけるダウンリンクサブフレームの構造を示す。
【００７０】
図３に示すように、サブフレーム内の第１番目のスロットにおいて前の最大３個のＯＦＤＭシンボルは、制御チャネルが割り当てられる制御領域（control region）であり、残りのＯＦＤＭシンボルは、ＰＤＳＣＨ（Physical Downlink Shared Channel）が割り当てられるデータ領域（data region）である。３ＧＰＰ ＬＴＥで使用されるダウンリンク制御チャネルの一例にＰＣＦＩＣＨ（Physical Control Format Indicator Channel）、ＰＤＣＣＨ（Physical Downlink control Channel）、ＰＨＩＣＨ（Physical Hybrid-ARQ Indicator Channel）などがある。
【００７１】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Hybrid Automatic Repeat Request）に対するＡＣＫ（Acknowledgement）／ＮＡＣＫ（Not-Acknowledgement）信号を運ぶ。ＰＤＣＣＨを介して送信される制御情報をダウンリンク制御情報（ＤＣＩ：downlink control information）という。ダウンリンク制御情報は、アップリンクリソース割り当て情報、ダウンリンクリソース割り当て情報または任意の端末グループに対するアップリンク送信（Ｔｘ）パワー制御命令を含む。
【００７２】
ＰＤＣＣＨは、ＤＬ−ＳＣＨ（Downlink Shared Channel）のリソース割り当て及び送信フォーマット（これをダウンリンクグラントともいう）、ＵＬ−ＳＣＨ（Uplink Shared Channel）のリソース割り当て情報（これをアップリンクグラントともいう）、ＰＣＨ（Paging Channel）でのページング（paging）情報、ＤＬ−ＳＣＨでのシステム情報、ＰＤＳＣＨから送信されるランダムアクセス応答（random access response）のような上位層（upper-layer）制御メッセージに対するリソース割り当て、任意の端末グループ内の個別端末に対する送信パワー制御命令の集合、ＶｏＩＰ（Voice over IP）の活性化などを運ぶことができる。複数のＰＤＣＣＨは、制御領域内で送信されることができ、端末は、複数のＰＤＣＣＨをモニターすることができる。ＰＤＣＣＨは、１つまたは複数の連続的なＣＣＥ（control channel elements）の集合から構成される。ＣＣＥは、無線チャネルの状態に応じる符号化率（coding rate）をＰＤＣＣＨに提供するために使用される論理的割り当て単位である。ＣＣＥは、複数のリソース要素グループ（resource element group）に対応する。ＰＤＣＣＨのフォーマット及び使用可能なＰＤＣＣＨのビット数は、ＣＣＥの数とＣＣＥにより提供される符号化率間の関連関係によって決定される。
【００７３】
基地局は、端末に送信しようとするＤＣＩに応じてＰＤＣＣＨフォーマットを決定し、制御情報にＣＲＣ（Cyclic Redundancy Check）を付ける。ＣＲＣには、ＰＤＣＣＨの所有者（owner）または用途に応じて、固有の識別子（これをＲＮＴＩ（Radio Network Temporary Identifier）という。）がマスキングされる。特定の端末のためのＰＤＣＣＨであれば、端末の固有の識別子、例えばＣ−ＲＮＴＩ（Cell-RNTI）がＣＲＣにマスキングされることができる。またはページングメッセージのためのＰＤＣＣＨであれば、ページング指示識別子、例えばＰ−ＲＮＴＩ（Paging-RNTI）がＣＲＣにマスキングされることができる。システム情報、さらに具体的にシステム情報ブロック（ＳＩＢ：system information block）のためのＰＤＣＣＨであれば、システム情報識別子、ＳＩ−ＲＮＴＩ（system information RNTI）がＣＲＣにマスキングされることができる。端末のランダムアクセスプリアンブルの送信に対する応答であるランダムアクセス応答を指示するために、ＲＡ−ＲＮＴＩ（random access-RNTI）がＣＲＣにマスキングされることができる。
【００７４】
ＥＰＤＣＣＨ（enhanced PDCCH）は、端末固有（UE-specific）シグナリングを運ぶ。ＥＰＤＣＣＨは、端末固有に設定された物理リソースブロック（ＰＲＢ：physical resource block）に位置する。言い換えると、前述したように、ＰＤＣＣＨは、サブフレーム内の１番目のスロットにおいて前の最大３個のＯＦＤＭシンボルで送信されることができるが、ＥＰＤＣＣＨは、ＰＤＣＣＨ以外のリソース領域で送信されることができる。サブフレーム内のＥＰＤＣＣＨが開始する時点（すなわち、シンボル）は、上位層シグナリング（例えば、ＲＲＣシグナリングなど）を介して端末に設定される。
【００７５】
ＥＰＤＣＣＨは、ＤＬ−ＳＣＨと関連した送信フォーマット、リソース割り当て及びＨＡＲＱ情報、ＵＬ−ＳＣＨと関連した送信フォーマット、リソース割り当て及びＨＡＲＱ情報、ＳＬ−ＳＣＨ（Sidelink Shared Channel）及びＰＳＣＣＨ（Physical Sidelink Control Channel）と関連したリソース割り当て情報などを運ぶことができる。多重のＥＰＤＣＣＨがサポートされることができ、端末はＥＰＣＣＨのセットをモニターすることができる。
【００７６】
ＥＰＤＣＣＨは、１つ又はそれ以上の連続した進歩されたＣＣＥ（ＥＣＣＥ：enhanced CCE）を利用して送信されることができ、各ＥＰＤＣＣＨフォーマット別に単一のＥＰＤＣＣＨ当たりにＥＣＣＥの個数が決まることができる。
【００７７】
各ＥＣＣＥは、複数のリソース要素グループ（ＥＲＥＧ：enhanced resource element group）で構成される。ＥＲＥＧは，ＥＣＣＥのＲＥへのマッピングを定義するために使用される。ＰＲＢ対別に１６個のＥＲＥＧが存在する。各ＰＲＢ対内においてＤＭＲＳを運ぶＲＥを除いて、全てのＲＥは、周波数が増加する順に、その後、時間が増加する順に、０ないし１５までの番号が付与される。
【００７８】
端末は、複数のＥＰＤＣＣＨをモニターすることができる。例えば、端末がＥＰＤＣＣＨ送信をモニターする１つのＰＲＢ対内に１つ又は２つのＥＰＤＣＣＨセットが設定されることができる。
【００７９】
異なる個数のＥＣＣＥが併合されることにより、ＥＰＣＣＨのための異なる符号化率（coding rate）が実現できる。ＥＰＣＣＨは、局部型送信（localized transmission）又は分散型送信（distributed transmission）を使用することができ、これにより、ＰＲＢ内のＲＥへのＥＣＣＥのマッピングが変わる可能性がある。
【００８０】
図４は、本発明が適用されることができる無線通信システムにおけるアップリンクサブフレームの構造を示す。
【００８１】
図４に示すように、アップリンクサブフレームは、周波数領域において制御領域とデータ領域とに分けられる。制御領域には、アップリンク制御情報を運ぶＰＵＣＣＨ（Physical Uplink Control Channel）が割り当てられる。データ領域は、ユーザデータを運ぶＰＵＳＣＨ（Physical Uplink Shared Channel）が割り当てられる。単一搬送波特性を維持するために、１つの端末は、ＰＵＣＣＨとＰＵＳＣＨを同時に送信しない。
【００８２】
１つの端末に対するＰＵＣＣＨにはサブフレーム内にリソースブロック（ＲＢ）対が割り当てられる。ＲＢ対に属するＲＢは、２つのスロットのそれぞれにおいて異なる副搬送波を占める。これを、ＰＵＣＣＨに割り当てられたＲＢ対はスロット境界（slot boundary）で周波数ホッピング（frequency hopping）されるという。
【００８３】
ダウンリンクＣＳＩ（Downlink channel state information）フィードバック
【００８４】
現ＬＴＥ標準では、チャネル情報なしに運用される開ループ（open-loop）ＭＩＭＯと、閉ループ（closed-loop）ＭＩＭＯの２つの送信方式が存在する。
【００８５】
閉ループＭＩＭＯにおいては、ＭＩＭＯアンテナの多重化利得（multiplexing gain）を得るために送信／受信端はそれぞれチャネル情報、すなわち、ＣＳＩに基づいてビームフォーミング（beamforming）を行う。
【００８６】
基地局は、ＣＳＩを得るためにＵＥにＰＵＣＣＨ（Physical Uplink Control CHannel）又はＰＵＳＣＨ（Physical Uplink Shared CHannel）を割り当ててダウンリンクＣＳＩをフィードバックするように命令する。
【００８７】
ＣＳＩは、ＲＩ（Rank Indicator）、ＰＭＩ（Precoding Matrix Index）、ＣＱＩ（Channel Quality Indication）の３つの情報に大別される。
【００８８】
まず、ＲＩは、チャネルのランク（rank）情報を示し、ＵＥが同一周波数の時間リソースを介して受信するストリーム（stream）の数を意味する。
【００８９】
この値は、チャネルのロングタームフェージング（long term fading）によりドミナント（dominant）に決定されるので、ＰＭＩ、ＣＱＩ値より通常さらに長い周期を有してＵＥから基地局にフィードバックされる。
【００９０】
次に、ＰＭＩは、チャネルの空間特性を反映した値であり、ＳＩＮＲなどのメトリック（metric）を基準にＵＥが好む基地局のプリコーディングインデックス（precoding index）を示す。
【００９１】
次に、ＣＱＩは、チャネルの強度を示す値であり、通常基地局がＰＭＩを利用したときに得られる受信ＳＩＮＲを意味する。
【００９２】
ＬＴＥ−Ａなどの一層進歩した通信システムでは、ＭＵ−ＭＩＭＯ（multi-user MIMO）を利用した追加的なマルチユーザダイバーシティ（multi-user diversity）を得ることが追加された。
【００９３】
このために、チャネルフィードバックの観点ではより高い正確度（accuracy）が要求される。
【００９４】
その理由は、ＭＵ−ＭＩＭＯでは、アンテナドメイン（domain）において多重化（multiplexing）されるＵＥ間の干渉チャネルが存在するため、フィードバックチャネルの正確度（accuracy）がフィードバックを行ったＵＥだけでなく、多重化される他のＵＥの干渉にも大きな影響を及ぼすためである。
【００９５】
従って、ＬＴＥ−Ａにおいては、フィードバックチャネルの正確度を高めるために最終ＰＭＩをロングターム及び／又は広帯域ＰＭＩであるＷ１と、ショートターム及び／又はサブバンドＰＭＩであるＷ２との２つに分けて設計することが決定された。
【００９６】
２種類のチャネル情報から１つの最終ＰＭＩを構成する階層的コードブック変換（hierarchical codebook transformation）方式の例として、以下のようにチャネルのロングターム共分散行列（long-term covariance matrix）を利用してコードブックを変換することがある。
【００９７】
【数１】
2020504512.tif 000005
【００９８】
数式１において、Ｗ２（=short term PMI）はショートタームチャネル情報を反映するために生成されたコードブックのコードワードであり、Ｗは変換（transform）された最終コードブックのコードワードであり、
2020504512.tif 000006
は行列Ａの各カラム（column）別のノルム（norm）が１に正規化（normalization）された行列を意味する。
【００９９】
既存のＷ１とＷ２の具体的な構造は、次のようである。
【０１００】
【数２】
2020504512.tif 000007
【０１０１】
前記コードワード構造は、交差偏波アンテナ（cross polarized antenna）を使用し、アンテナ間の間隔が密な場合（通常、隣接アンテナ間の距離が信号波長の半分以下である場合に該当する）に発生するチャネルの相関（correlation）特性を反映して設計した構造である。
【０１０２】
交差偏波アンテナの場合、アンテナを水平アンテナグループ（horizontal antenna group）と垂直アンテナグループ（vertical antenna group）に区分できるが、各アンテナグループは、ＵＬＡ（uniform linear array）アンテナの特性を有し、両アンテナグループはコロケート（co-located）されている。
【０１０３】
従って、各グループのアンテナ間の相関は、同一線形位相増加（linear phase increment）特性を有し、アンテナグループ間の相関は、位相回転（phase rotation）された特性を有する。
【０１０４】
コードブックは、結局、チャネルを量子化（quantization）した値であるため、ソース（source）に該当するチャネルの特性をそのまま反映してコードブックを設計することが必要である。説明の便宜のために、前記構造で作ったランク１コードワードを例にすると、このようなチャネルの特性が数式２を満足するコードワードに反映されたことを確認することができる。
【０１０５】
【数３】
2020504512.tif 000008
【０１０６】
数式３において、コードワードはＮｔ（Ｔｘアンテナ数）×１のベクトル（vector）で表現され、上位ベクトル
2020504512.tif 000009
と下位ベクトル
2020504512.tif 000010
の２つで構造化されており、それぞれはアンテナを水平アンテナグループと垂直アンテナグループの相関特性を示す。
【０１０７】
2020504512.tif 000011
は、各アンテナグループのアンテナ間の相関特性を反映して線形位相増加を有するベクトルで表現することが有利であり、代表的な例としてＤＦＴ行列を利用することができる。
【０１０８】
また、ＣｏＭＰのためにもより高いチャネル正確度が必要である。
【０１０９】
ＣｏＭＰ ＪＴの場合、複数の基地局が特定ＵＥに同一のデータを協力送信するので、理論的にアンテナが地理的に分散されているＭＩＭＯシステムと見なすことができる。
【０１１０】
すなわち、ＪＴにおいてＭＵ−ＭＩＭＯをする場合も単一セルＭＵ−ＭＩＭＯと同様に、共にスケジューリング（co scheduling）されるＵＥ間の干渉を避けるために高い水準のチャネル正確度が要求される。
【０１１１】
また、ＣｏＭＰ ＣＢの場合も、隣接セルがサービングセルに与える干渉を回避するために、正確なチャネル情報が要求される。
【０１１２】
制限されたＲＬＭ及びＲＲＭ／ＣＳＩ測定（Restricted RLM and RRM/CSI measurement）
【０１１３】
干渉調整（Interference coordination）の１つの方法として、攻撃セル（aggressor cell）が一部物理チャネル（physical channel）の送信パワー／動作（transmission power/activity）を減らす（ゼロパワーに設定する動作まで含む）沈黙サブフレーム（silent subframe）（ＡＢＳ（almost blank subframe）と呼ばれることもできる）を使用し、犠牲セル（victim cell）がこれを考慮してＵＥをスケジュールする時間ドメインセル間干渉調整（time domain inter-cell interference coordination）が可能である。
【０１１４】
この場合、犠牲セルＵＥの立場では、干渉レベル（interference level）がサブフレームによって大きく変化することがある。
【０１１５】
ここで、各サブフレームにおけるより正確なＲＬＭ（radio link monitoring）やＲＳＲＰ／ＲＳＲＱなどを測定するＲＲＭ（radio resource management）動作を行うか、リンク適応（link adaptation）のためにＣＳＩ（channel state information）を測定するために、前記モニタリング／測定は、均一な干渉特性を有するサブフレームのセットに制限されなければならない。
【０１１６】
３ＧＰＰ ＬＴＥシステムでは、以下のように制限されたＲＬＭ及びＲＲＭ／ＣＳＩ測定が定義された。
【０１１７】
ＣＳＩを報告するためのＵＥ手順（UE procedure for reporting Channel State Information（CSI））
【０１１８】
時間と周波数リソースは、ｅＮＢにより制御されるＣＱＩ、ＰＭＩ及び／又はＲＩで構成されたＣＳＩを報告するためにＵＥにより利用されることができる。
【０１１９】
空間多重化（spatial multiplexing）のために、端末は、送信レイヤの数（number）に対応するＲＩを決定しなければならない。
【０１２０】
ここで、送信ダイバーシティに対してＲＩは１のようである。
【０１２１】
端末が送信モード８又は９に設定された場合、上位層パラメータｐｍｉ−ＲＩ−ｒｅｐｏｒｔによりＰＭＩ／ＲＩ報告をするか又はしないことがある。
【０１２２】
サブフレームが
2020504512.tif 000012
と
2020504512.tif 000013
であり、上位層において構成された場合、端末はリソース制限ＣＳＩ測定（resource-restricted CSI measurements）で構成される。
【０１２３】
ここで、ＣＳＩ報告は、周期的又は非周期的であり得る。
【０１２４】
端末が１つ以上のサービングセル（serving cell）で構成される場合、活性化されたサービングセルのみにおいてＣＳＩを送信することができる。
【０１２５】
端末が同時にＰＵＳＣＨ及びＰＵＣＣＨ送信のために構成されない場合、後述するようにＵＥはＰＵＳＣＨが割り当てられないサブフレームにおいてＰＵＣＣＨに対するＣＳＩを周期的に報告しなければならない。
【０１２６】
端末が同時にＰＵＳＣＨ及びＰＵＣＣＨ送信のために構成されない場合、端末はＰＵＳＣＨが割り当てられたサブフレームにおいて最小のｓｅｒｖｃｅｌｌｉｎｄｅｘを有するサービングセルのＰＵＳＣＨに対して周期的にＣＳＩを報告しなければならない。
【０１２７】
ここで、端末は、ＰＵＳＣＨに対して同一のＰＵＣＣＨベースの周期的なＣＳＩ報告フォーマットを使用しなければならない。
【０１２８】
端末は、以後に明示された特定の条件を満足した場合は、ＰＵＳＣＨを介して非周期的ＣＳＩ報告をしなければならない。
【０１２９】
非周期的ＣＱＩ／ＰＭＩ報告、ＲＩ報告は、ＣＳＩのフィードバックタイプがＲＩ報告をサポートする場合にのみ送信される。
【０１３０】
端末のサブバンドのセットは、ダウンリンクシステム帯域幅全体に該当するＣＱＩ報告を評価（evaluate）することができる。
【０１３１】
サブバンドは、ｋ個のＰＲＢで構成されたセットであり、ここで、ｋはシステム帯域幅（system bandwidth）の関数である。
【０１３２】
Ｓセットの最後のサブバンドは、
2020504512.tif 000014
によって連続的なＰＲＢ数がｋより少ない可能性がある。
【０１３３】
2020504512.tif 000015
によって与えられたシステム帯域幅の数は
2020504512.tif 000016
で定義されることができる。
【０１３４】
サブバンドは、最低周波数から開始して周波数が増加する順及びサイズが増加しない順でインデックスされなければならない。
【０１３５】
表３は、サブバンドサイズ（ｋ）とシステム帯域幅の構成を示す表である。
【０１３６】
【表３】
2020504512.tif 000017
【０１３７】
ＰＵＳＣＨを利用した非周期的ＣＳＩ報告（Aperiodic CSI reporting using PUSCH
【０１３８】
端末は、サブフレームｎにおいてデコードするとき、サービングセル
2020504512.tif 000018
のサブフレームｎ＋ｋでＰＵＳＣＨを利用して以下のいずれか１つの非周期的なＣＳＩ報告を行うことができる。
【０１３９】
−アップリンクＤＣＩフォーマット（an uplink DCI format）又は
【０１４０】
−ランダムアクセス応答グラント（a Random Access Response Grant）
【０１４１】
それぞれのＣＳＩ要求フィールドが報告をトリガーするように設定され、予約されない場合、サービングセル
2020504512.tif 000019
を提供するのに利用される。
【０１４２】
ＣＳＩ要求フィールドが１ｂｉｔである場合、ＣＳＩ要求フィールドが１に設定され、サービングセル
2020504512.tif 000020
に対する報告がトリガーされる。
【０１４３】
ＣＳＩ要求フィールドのサイズが２ｂｉｔである場合、表４の値によって報告がトリガーされる。
【０１４４】
端末は、与えられたサブフレームに対して１つ以上の非周期的ＣＳＩ報告要求を受信することを期待しない。
【０１４５】
表４は、端末の検索空間においてアップリンクＤＣＩフォーマットを有するＰＤＣＣＨに対するＣＳＩ要求フィールドを示す。
【０１４６】
【表４】
2020504512.tif 000021
【０１４７】
ＰＵＳＣＨに対するＮＲ（New Radio） ＣＳＩ（Channel State Information）報告の場合、部分サブバンド（partial subbands）のＰａｒｔ２情報ビットは省略されることができる。
【０１４８】
優先順位レベル（priority level）がＢｏｘ＃０からＢｏｘ＃２Ｎまでハイ（high）からロー（low）に低下する場合、優先順位規則（priority rule）がサポートされ、省略単位（omission granularity）は１つのｂｏｘであり得る。
【０１４９】
ここで、Ｎは、１つのスロット（slot）においてＣＳＩ報告の数である。
【０１５０】
また、ＣＳＩ報告の数は、ＣＳＩ報告設定（report configuration）での順位と一致することができる。
【０１５１】
ＣＱＩ（Channel Quality Indicator）計算（calculation）のために以下の代替案（Alts）の１つが選択されることができる。
【０１５２】
Ａｌｔ１:各省略されたサブバンドに対するサブバンドＣＱＩは、Ｐａｒｔ２報告がある最も近いサブバンドのＰＭＩ（Precoding Matrix Indicator）と仮定して計算される。
【０１５３】
Ａｌｔ２：各省略されたサブバンドに対するサブバンドＣＱＩは、このサブバンドのＰＭＩと仮定して計算される。
【０１５４】
Ｐａｒｔ１／Ｐａｒｔ２ ＣＳＩは、以下のように定義されることができる。
【０１５５】
タイプ（Type）Ｉの場合、単一スロット（single-slot）報告のみが可能である。
【０１５６】
ここで、ＣＳＩ報告は、以下のように最大２パート（part）で構成される。
【０１５７】
Ｐａｒｔ１：第１の（1st）ＣＷのためのＲＩ（Rank Indicator）／ＣＲＩ（CSI-RS resource Indicator）、ＣＱＩ
【０１５８】
Ｐａｒｔ２:第２の（2st）ＣＷのためのＰＭＩ、ＣＱＩ（ＲＩ＞４である場合）
【０１５９】
タイプＩＩの場合、ＣＳＩ報告は最大２又は３パートで構成される。
【０１６０】
３つのパートがサポートされる場合、Ｐａｒｔ１は第１のＣＷに対するＲＩ、ＣＱＩを、Ｐａｒｔ２は広帯域振幅情報を、Ｐａｒｔ３はＰＭＩを含むことができる。
【０１６１】
２つのパートがサポートされる場合、パートの細部事項は追加研究が必要である。
【０１６２】
ＣＳＩ報告のためのリソース割り当ては、ＲＩ＝１とＲＩ＝２の間のペイロードの差を考慮しなければならない。単一スロット（single-slot）及びマルチスロット（multi-slot）報告はすべて考慮されなければならない。
【０１６３】
単一スロット報告の原則（principle）は維持されるようにしなければならない。（多重スロットにおいて報告のＣＳＩパラメータ（parameters）は多重化されない。）
【０１６４】
３ＧＰＰ ＬＴＥにおいてＣＳＩ（Channel State Information）の非周期的フィードバック（aperiodic feedback）は非周期的ＣＳＩ要求（request）が受信されたサブフレーム（例えば、リファレンスリソース（reference resource））から４ｍｓ／５ｍｓ後（又は、以後最初に利用可能なＵＬサブフレーム（available UL subframe））で行われることができる。
【０１６５】
しかしながら、ＣＳＩエージング効果（aging effect）を防止し、遅延減少（latency reduction）のために、ＣＳＩのフィードバックが既存のＬＴＥに比べて短い時間内に（例えば、ミリ秒（milliseconds）より小さい）行われることが好ましい。
【０１６６】
従って、このために（ＣＳＩ）フィードバックタイミングを基地局が端末に直接ダイナミックに指定（又は、設定又は指示）することが考慮されている。
【０１６７】
その理由は、ＣＳＩ計算時間（calculation time）は、場合によって異なるように所要されるためである。
【０１６８】
ここで、ＣＳＩ計算時間（calculation time）は、ＣＳＩリファレンスリソースから端末が該当リファレンスリソースを仮定したＣＳＩを導出するまでの時間を意味する。
【０１６９】
例えば、端末が１つの広帯域（又は、サブバンド）に対するＣＳＩを計算するか、又は、複数のキャリア成分／サブバンド（carrier component/subband）に対するＣＳＩをすべて計算するかによって、端末が必要とするＣＳＩ計算時間が変わることがある。
【０１７０】
従って、本発明においては、基地局が、当該ＣＳＩフィードバックがフィードバックするコンテンツ（例えば、フィードバックタイプ（feedback type）、帯域幅単位（bandwidth granularity）、ＵＥ計算能力（UE calculation capability））によって異なるフィードバックタイミングを端末に設定する方式を提案する。
【０１７１】
フィードバックコンテンツ（Feedback contents）によるＣＳＩフィードバックタイミング指定
【０１７２】
本明細書において、ＣＳＩフィードバックタイミングは（非周期的（aperiodic））ＣＳＩ要求から端末が実際ＣＳＩをフィードバックするＵＬリソースまでの時間と定義する。
【０１７３】
すなわち、図５に示すｋ１、ｋ２のように、ＣＳＩ報告のためのＵＬリソース割り当て（UL resource allocation）が非周期的ＣＳＩ要求送信時点ｎからどのくらい離れているリソースに該当／適用されるか指定することを意味する。
【０１７４】
これは、シンボル単位又はサブフレーム単位になりうるし、絶対的な時間又はＮｅｗ ＲＡＴにおいて考慮されるミニサブフレーム（mini subframe）、スロット（slot）のような単位で定義されることができる。
【０１７５】
また、以下で（非周期的）ＣＳＩ要求受信時点は、リファレンスリソースと定義されたサブフレームに代替されることができる。
【０１７６】
前記絶対的な時間と定義されるという意味は、与えられたタイミングがヌメロロジー（numerology）によって該当タイミングに合致する他の単位と解釈できることを意味する。
【０１７７】
例えば、システムが１５ｋＨｚのｔ倍（ｔ＝１、２、３…）のサブキャリア間隔（subcarrier spacing）を有するバンドをサポートし、サブキャリア間隔１５ｋＨｚのバンドでのタイミング値がｋ（シンボル単位）でシグナリングされる場合があり得る。
【０１７８】
ここで、異なるキャリア間隔（carrier spacing）のｔ値に応じてそれぞれｔ＊ｋと定義（例えば、キャリア間隔１５ｋＨｚ：ｋ、キャリア間隔３０ｋＨｚ：ｋ＊２、キャリア間隔６０ｋＨｚ：ｋ＊４）されることができるという意味である。
【０１７９】
もし、各キャリア間隔において異なる数字のシンボルが１つのサブフレームを構成する場合、各キャリア間隔を使用するバンドにおける該当シンボルの数字も類似して考慮されることができる。
【０１８０】
例えば、サブキャリア間隔１５ｋＨｚのバンドにおいては、シンボル期間（symbol duration）Ｔに１４個のシンボルが１つのサブフレームを成し、サブキャリア間隔３０ｋＨｚのバンドにおいては、シンボル期間Ｔ／２に２８個のシンボルが１つのサブフレームを成すことができる。
【０１８１】
ここで、サブキャリア間隔１５ｋＨｚのバンドでのｋがシンボル単位と定義される場合、該当タイミングは１５ｋＨｚ：ｋ、３０ｋＨｚ：２＊ｋと解釈され、ｋがサブフレーム単位と定義される場合、該当タイミングは１５ｋＨｚ：ｋ、３０ｋＨｚ：ｋと解釈されることができるという意味である。
【０１８２】
（提案1）
【０１８３】
提案１は、ＣＳＩフィードバックタイプによるＣＳＩフィードバックタイミングを指定することである。
【０１８４】
基地局は、（非周期的）ＣＳＩにどのＣＳＩタイプが含まれて報告されるかによって該当ＣＳＩフィードバックタイミングを指定することができる。
【０１８５】
例えば、基地局は、フィードバックの単位（granularity）によってＣＳＩフィードバックタイミングを指定することができる。このために、複数のサブバンドＣＳＩに対するフィードバックタイプを含むＫ１グループ（例えば、サブバンドＲＩ、ＰＭＩ、ＣＱＩ）、単数の広帯域ＣＳＩに対するフィードバックタイプのみを含むＫ２グループ（例えば、広帯域ＲＩ、ＰＭＩ、ＣＱＩ）を定義することができる。
【０１８６】
他の例として、ＬＴＥのＰＭＩ、ＣＱＩ、ＲＩがグループＫ１に含まれるとき、ビーム選択（beam selection）のためのＣＲＩ（又は、６ＧＨｚ以上の（above）領域でポート選択（port selection））をパワー測定で計算及び選択する場合、ＰＭＩ／ＣＱＩ/ＲＩに比べて計算時間が少なくなることができ、従って、グループＫ２に含むことができる。
【０１８７】
ここで、各グループＫは、（非周期的）ＣＳＩ要求をするときに当該要求（request）が要求するＣＳＩの集合である。
【０１８８】
基地局は、当該（非周期的）ＣＳＩ要求にどのグループに対するＣＳＩを報告するかを端末に指定する。サブフレームｎで（非周期的）ＣＳＩ要求は端末に受信される。複数のサブバンドに対するＣＳＩ（例えば、Ｋ１グループ）を含む報告が指示される場合、端末は、当該（非周期的）ＣＳＩをｎ＋ｋ１時点で報告し、単数の広帯域ＣＳＩ（例えば、Ｋ２グループ）の報告のみが指示される場合、ｎ＋ｋ２（ｋ１＞ｋ２）時点で報告することができる。
【０１８９】
このように、ＣＳＩフィードバックタイプは複数のＫｐ（Ｋ１、Ｋ２、…Ｋｉ…Ｋｐ）グループと定義されることができる。各グループにおいて異なるフィードバックタイミングｋ１、ｋ２、…ｋｉ…ｋｐが定義されることができる。
【０１９０】
前記Ｋグループ及びそれによるフィードバックタイミングｋは、事前に定義されるか、ＲＲＣで設定（configure）されることができる。特に、ＲＲＣで設定（configure）される場合、各Ｋグループに対して設定（configure）できるｋｉ値の範囲は異なるように定義されることができる。
【０１９１】
例えば、前記例示のように、グループＫ１、Ｋ２に対してそれぞれグループＫ１は｛３，４，５，６｝、グループＫ２は｛１，２，３，４｝の範囲内で指定するように定義されることができる。この場合、基地局は、どのグループに対するＣＳＩを要求するかを（非周期的）ＣＳＩ要求に含めて（アップリンク）ＤＣＩを介して端末に送信する。
【０１９２】
または、基地局は、グループＫｉに対してＣＳＩフィードバックタイミング値ｋｉの代わりにＣＳＩフィードバックタイミングセットＴｉを指定することができる。この場合、基地局は、ＤＣＩを介してＣＳＩ要求とともにＣＳＩフィードバックタイミングのインデックス（index）を指定することができる。
【０１９３】
端末は、当該ＣＳＩ要求に該当するＫｉグループに定義されたＴｉ内の要素のうち、シグナリングされたインデックスに該当するＣＳＩフィードバックタイミングでフィードバックを行うことができる。
【０１９４】
例えば、上記の例示のようなグループＫ１、Ｋ２に対してそれぞれグループＫ１にＴ１＝｛３，４，５，６｝、グループＫ２にＴ２＝｛１，２，３，４｝が定義された場合、基地局がフィードバックタイミングインデックス＝１を端末に送信すると、Ｋ１グループフィードバックの場合はｎ＋３において、Ｋ２グループの場合はｎ＋１においてフィードバックが行われることができる。
【０１９５】
該当フィードバックタイミングインデックスは、（非周期的）ＣＳＩ要求に含まれて送信され、特に、他の情報（例えば、グループ指示（group indication））とともにジョイントエンコーディング（joint encoding）されることができる。
【０１９６】
または、各Ｋｉグループに対してフィードバックタイミングオフセットｋ’ｉが定義されることができる。基地局は、端末にＤＣＩを介してＫｉグループの指定を含むＣＳＩ要求とともにＣＳＩフィードバックタイミングのインデックスを指定することができる。ここで、端末は、シグナリングされたＣＳＩフィードバックタイミングインデックスに該当するフィードバックタイミングｋと該当ＣＳＩ要求に該当するＫｉグループに定義されたタイミングオフセットｋ’ｉを合わせたフィードバックタイミングｎ＋ｋ＋ｋ’ｉにおいてフィードバックを行うことができる。
【０１９７】
例えば、ＣＳＩフィードバックタイミングセットとしてＴ＝｛０，１，２，３｝が定義され、上記例示のようなグループＫ１、Ｋ２に対してそれぞれグループＫ１にｋ’１＝３、グループＫ２にｋ’２＝０が定義されることができる。ここで、基地局がフィードバックタイミングインデックス＝２を端末に送信すると、フィードバックにＫ１グループのフィードバックタイプが含まれる場合はｎ＋（１＋３）において、そうでない場合はｎ＋（１＋０）においてフィードバックが行われることができる。
【０１９８】
該当フィードバックタイミングインデックスは（非周期的）ＣＳＩ要求に含まれてジョイントエンコーディングされることができる。
【０１９９】
前述したように、共通のＣＳＩフィードバックタイミングセットＴが定義されるとき、各グループＫｉに対して最小フィードバックタイミングｋ”ｉが定義されることができる。端末は、指定されたＣＳＩフィードバックタイミングｔｉがｋ”ｉより小さい場合、下記のような動作をすることができる。
【０２００】
−Ｍａｘ（ｎ＋ｋ”ｉ，ｎ＋ｔｉ）時点までＣＳＩフィードバックを遅延（delay）させる。
【０２０１】
−ＣＳＩフィードバックをドロップ（drop）する。
【０２０２】
−アップデートしていないＣＳＩをフィードバックする。
【０２０３】
ここで、特定ｋｉとｋｊの単位は異なる可能性がある。
【０２０４】
例えば、ｋ１はサブフレーム単位で、ｋ２はシンボル単位であり得る。この場合、各場合によってｎは異なって解釈されることができる。ｎ＋ｋ１の場合にｎは（非周期的）ＣＳＩ要求が送信されたサブフレームを示し、ｎ＋ｋ２の場合にｎは（非周期的）ＣＳＩ要求が送信されたサブフレームの１番目のシンボルを示すことができる。
【０２０５】
グループＫの代わりに各ＣＳＩフィードバックタイプ別にｋ１、ｋ２、...ｋｉ...ｋｐが定義されることができる。
【０２０６】
この場合、各グループＫｐに対するＣＳＩフィードバックタイミングは、当該グループＫｐに属するＣＳＩフィードバックタイプに対するｋ１、ｋ２、...ｋｉ...ｋｐのうち最大のｋｉを該当グループＫに対するＣＳＩフィードバックタイミングと定義することができる。
【０２０７】
ここで、ｐ、すなわち、グループＫの最大数（maximum number of group K）が定義（例えば、p＝２）されることができ、この場合、グループインジケータ（group indicator）情報は、ｌｏｇ２（ｐ）（例えば、１ｂｉｔ）にエンコーディングされてＵＬ ＤＣＩに含まれるか、（非周期的）ＣＳＩ要求の他の情報（例えば、ＰＱＩ）とともにジョイントエンコーディングされることができる。
【０２０８】
（提案２）
【０２０９】
提案２は、ＣＳＩ推定（estimation）方法によるＣＳＩフィードバックタイミングを指定することである。
【０２１０】
フィードバックタイプの代わりにＣＳＩ推定方法によってＫグループを定義する方法も可能であるだろう。ＦＤ−ＭＩＭＯ及びＮｅｗ ＲＡＴの状況に考慮される多様なＣＳＩ推定方法によってＣＳＩ計算（calculation）に必要な時間が変わる可能性がある。
【０２１１】
これは、従来のコードブックベースのＣＳＩ計算のような暗黙的フィードバック（implicit feedback）だけでなく、チャネル係数（channel coefficient）を直接フィードバックする方式や共分散行列（covariance matrix）（の 固有ベクトル（eigenvector））をフィードバックする明示的フィードバック（explicit feedback）方式を含む。
【０２１２】
例えば、ＭＬを介した暗黙的フィードバックは、全てのランクとＰＭＩインデックスに対してＣＱＩを計算する方式をベースにしているため、相対的に長いＣＳＩ計算時間が必要である。それに対して、明示的フィードバック、特に、チャネル係数を基地局に直接フィードバックする場合、大きな計算が必要でないため、相対的に短いＣＳＩ計算時間が期待される。
【０２１３】
従って、必要な時間が異なるＣＳＩ推定方法を使用するＣＳＩフィードバックは、異なるＫｉグループと定義されて、異なるｋｉ、ｋ’i又はＴｉを定義することができる。
【０２１４】
例えば、（ｌａｒｇｅ）コードブックを使用したＣＳＩを基地局に報告する方式をグループＫ１と、チャネル係数を直接フィードバックする方式をグループＫ２と定義してそれぞれｋ１＝４、ｋ２＝１に設定することが可能である。この場合、両推定方法によるＣＳＩ報告方式が異なるフィードバックタイプと定義されることができ、ここで、提案１と同様の方式で異なるｋｉ、ｋ’iあるいはＴｉを指定及び使用することができることは自明である。
【０２１５】
（提案３）
【０２１６】
提案３は、ＣＳＩプロセスによるＣＳＩフィードバックタイミングを指定することである。
【０２１７】
複数のＣＳＩプロセスにそれぞれ必要なＣＳＩフィードバックタイミングが異なるＣＳＩを割り当て、各ＣＳＩプロセスによって異なるｋｉ、ｋ’iあるいはＴｉが指定されることができる。
【０２１８】
例えば、ＣＳＩプロセス１にはサブバンドＣＳＩを含み、ＣＳＩプロセス２には広帯域ＣＳＩのフィードバックのみを設定（configure）して、ＣＳＩプロセス１とＣＳＩプロセス２にそれぞれｋ１＝４、ｋ２＝１を定義することができる。
【０２１９】
または、ＬＴＥのＰＱＩのように、（非周期的）ＣＳＩ要求のシグナリングをＲＲＣで設定（configure）するとき、各ＣＳＩプロセス（及び、フィードバックタイプ、推定方法）の組み合わせによって異なるｋｉ、ｋ’iあるいはＴｉが指定されることができる。ここで、当該（非周期的）ＣＳＩ要求の対象となるＣＳＩプロセスの数に応じて異なるｋｉ、ｋ’iあるいはＴｉが表（table）又は関数の形態で定義されることができる。
【０２２０】
（提案４）
【０２２１】
提案４は、ＵＥ能力（UE capability）としてのＣＳＩフィードバックタイミングを指定することである。
【０２２２】
端末は、自分のＣＳＩ計算能力によって基地局に自分のｋｉをＵＥ能力シグナリングを介して知らせることができる。端末は、前記提案１〜３又はそれに記述された要素（例えば、フィードバックタイプ、推定方法）によって異なるｋｉ、ｋ’iあるいはＴｉを基地局に知らせることができる。
【０２２３】
または、端末は、ある基準となるＣＳＩフィードバックタイミングｋを知らせ、基地局は、当該基準に含めて前記提案１〜３を適用することができる。
【０２２４】
例えば、端末は、自分の最小ＣＳＩフィードバックタイミングｋ１１つのみを知らせることができ、基地局は、前記提案１〜３を使用するとき、当該ｋ１を考慮して各ｋｉ、ｋ’iあるいはＴｉを定義／シグナリングするために使用することができる。
【０２２５】
前述した提案１ないし４は、後述する提案に対しても同様に適用できることは自明である。
【０２２６】
すなわち、提案１ないし４は、後述する提案と結合して本明細書で提案する方法を行うように適用されることができる。
【０２２７】
（提案５）
【０２２８】
提案５は、アンテナポート数によってＣＳＩフィードバックタイミングを指定することである。
【０２２９】
非周期的ＣＳＩ要求に該当する、測定（measure）しなければならないＡＣＳＩ（Aperiodic CSI）−ＲＳ（Reference Signal）のポート数によってフィードバックタイミングは異なるように設定されることができる。すなわち、ＡＣＳＩ−ＲＳポート数ＮＰに対して、各グループＫを区分する閾値（threshold value）ＮＰ＿Ｋｉ（ｉ＝１，２，…ｐ−１、ＮＰ＿Ｋ０＝０）がそれぞれ定義され、各グループに対してｋｉ、ｋ’iあるいはＴｉを指定することができる。
【０２３０】
例えば、ＮＰ＿Ｋｉ−１Ｐ＜＝ＮＰ＿Ｋｉを満足する場合、当該ＡＣＳＩ−ＲＳはグループＫｉに含まれ、この場合、ｋｉ、ｋ’iあるいはＴｉを使用することができる。
【０２３１】
例えば、２つのグループＫが定義され、基地局から上位層シグナリングで設定（configure）されるか事前に定義されたＮＰ＿Ｋ１値が与えられ、ＡＣＳＩ−ＲＳのポート数ＮＰは、ＮＰ＜＝ＮＰ＿Ｋ１を満足する場合はグループＫ１であると、ＮＰ＞ＮＰ＿Ｋ１を満足する場合はグループＫ2であると解釈されることができる。
【０２３２】
または、非周期的ＣＳＩ要求が１つ以上のＡＣＳＩ−ＲＳリソースに対するＣＳＩフィードバックをトリガーする場合、トータルポート数ＮＰ＿ｔｏｔａｌ又は最大ポート数ＮＰ＿ｍａｘは、前記ポート数と類似した方式でグループＫを区分する基準として使用されることができる。この場合も、ＮＰ＿Ｋｉの代わりにトータルポート数に対するＮＰ＿ｔｏｔａｌ＿Ｋｉ、最大ポート数に対するＮＰ＿ｍａｘ＿Ｋｉのような閾値（threshold value）が定義されることができる。
【０２３３】
または、非周期的ＣＳＩ要求が１つ以上のインスタンス（instance）において送信されるＡＣＳＩ−ＲＳに対する集約（aggregated）ＣＳＩフィードバックをトリガーする場合、集約（aggregated）ＣＳＩ−ＲＳに対するトータルポート数又は最大ポート数は、前記ポート数と類似した方式でグループＫを区分する基準として使用されることができる。
【０２３４】
以下で、グループＫは、それぞれ異なるｋｉ、ｋ’iあるいはＴｉを設定する条件又は区分単位として使用されることができる。
【０２３５】
（提案６）
【０２３６】
提案６は、リソース数によってＣＳＩフィードバックタイミングを指定することである。
【０２３７】
１つのＣＳＩプロセスに複数のＡＣＳＩ−ＲＳリソースが定義され、２つ以上のＡＣＳＩ−ＲＳリソースに対するＣＳＩを計算（例えば、ＣＲＩ）しなければならない場合、基地局は、端末に非周期的ＣＳＩ要求に該当する、測定（measure）しなければならないＡＣＳＩ−ＲＳリソースの数によってフィードバックタイミングを異なるように設定することができる。
【０２３８】
すなわち、ＡＣＳＩ−ＲＳリソース数ＮＲに対して、各グループＫを区分する値ＮＲ＿Ｋｉ（ｉ＝１，２，…ｐ−１、ＮＲ＿Ｋ０＝０）がそれぞれ定義され、各グループに対してｋｉ、ｋ’iあるいはＴｉを指定することができる。
【０２３９】
例えば、ＮＲ＿Ｋｉ−１Ｒ＜＝ＮＲ＿Ｋｉを満足する場合、当該ＡＣＳＩ−ＲＳはグループＫiに含まれ、この場合、指定されたｋｉ、ｋ’iあるいはＴｉを使用して非周期的ＣＳＩ報告タイミングを使用することができる。
【０２４０】
例えば、２つのグループＫが定義され、基地局から上位層シグナリングで設定（configure）されるか事前に定義されたＮＲ＿Ｋ１値が与えられ、ＡＣＳＩ−ＲＳのリソース数ＮＲは、ＮＲ＜＝ＮＲ＿Ｋ１を満足する場合はグループＫ１と、ＮＲ＞ＮＲ＿Ｋ１を満足する場合はグループＫ２と解釈されることができる。
【０２４１】
または、非周期的ＣＳＩ要求が１つ以上のインスタンス（instance）において送信されるＡＣＳＩ−ＲＳに対する集約（aggregated）ＣＳＩフィードバックをトリガーする場合、集約ＣＳＩ−ＲＳに対するトータルリソース数は、前記リソース数と類似した方式でグループＫを区分する基準として使用されることができる。
【０２４２】
（提案７）
【０２４３】
提案７は、ＣＳＩプロセスの数によってＣＳＩフィードバックタイミングを指定することである。
【０２４４】
基地局が端末に２つ以上のＣＳＩプロセスに対するＣＳＩを計算（例えば、ＣＡ）するように指示することができる場合、基地局は端末に非周期的ＣＳＩ要求に該当するＣＳＩプロセス数によってフィードバックタイミングを異なるように設定することができる。
【０２４５】
すなわち、非周期的ＣＳＩ要求に指定されたＣＳＩプロセス数ＮＣに対して、各グループＫを区分する値ＮＣ＿Ｋｉ（ｉ＝１，２，…ｐ−１、ＮＣ＿Ｋ０＝０）がそれぞれ定義され、各グループに対してｋｉ、ｋ’iあるいはＴｉを指定することができる。
【０２４６】
例えば、ＮＣ＿Ｋｉ−１Ｃ＜＝ＮＣ＿Ｋｉを満足する場合、当該ＡＣＳＩ−ＲＳはグループＫiに含まれ、この場合、指定されたｋｉ、ｋ’iあるいはＴｉを使用して非周期的ＣＳＩ報告タイミングを使用することができる。
【０２４７】
例えば、２つのグループＫが定義され、基地局から上位層シグナリングで設定（configure）されるか事前に定義されたＮＣ＿Ｋ１値が与えられ、ＡＣＳＩ−ＲＳのＣＳＩプロセス数ＮＣは、ＮＣ＜＝ＮＣ＿Ｋ１を満足する場合はグループＫ1と、ＮＣ＞ＮＣ＿Ｋ１を満足する場合はグループＫ２と解釈されることができる。
【０２４８】
前述したＮＰ＿Ｋｉ、ＮＰ＿ｔｏｔａｌ＿Ｋｉ、ＮＰ＿ｍａｘ＿Ｋｉ、ＮＲ＿Ｋｉ、ＮＣ＿Ｋｉのような閾値（threshold value）及び各グループＫに対するｋｉ、ｋ’iあるいはＴｉは、ＲＲＣシグナリングのようなＬ３シグナリングの代わりに、もっと高い柔軟性（flexibility）のためにＭＡＣシグナリングのようなＬ２シグナリングを使用して端末に指定することができる。
【０２４９】
特に、ダイナミックシグナリングを使用しないｋ’iのような場合、柔軟性 （flexibility）がさらに重要であり得るので、Ｌ２シグナリングの意味がより大きくなる可能性がある。
【０２５０】
前記提案１〜７で記述したＤＣＩを介する（非周期的）ＣＳＩ要求シグナリングにおいて、基地局が端末に指定するＣＳＩフィードバックタイミングによって（非周期的）ＣＳＩ要求のフィードバックするＫｉグループは、端末に暗黙的に（implicit）指定されることができる。
【０２５１】
この場合、基地局が端末に指定できるフィードバックタイミングＴ及びＴの範囲によってフィードバックするグループＫiが定義される。
【０２５２】
例えば、Ｔ＝｛１，２，３，４｝が存在し、｛１，２｝の場合はグループＫ１が指定され、｛３，４｝の場合はグループＫ２が指定される。この場合、基地局がＴ＝３を（非周期的）ＣＳＩ指示（indication）に含んで送信する場合、端末は、グループＫ２に含まれたＣＳＩをｎ＋３でフィードバックし、基地局がＴ＝１を送信する場合、端末はグループＫ１に含まれたＣＳＩをｎ＋１でフィードバックすることができる。
【０２５３】
前記提案１〜７で説明した方式は、ＰＤＣＣＨとｅＰＤＣＣＨにおいて異なるように解釈されることができる。例えば、ＰＤＣＣＨを介するシグナリングでは指示されたタイミングをそのまま使用するが、ｅＰＤＣＣＨで指示されたタイミングは指示されたタイミング＋１（ＴＴＩ）と解釈されることができる。
【０２５４】
ＡＣＳＩ−ＲＳ送信時点を基準に、フィードバックコンテンツによるＣＳＩプロセッシング時間指定
【０２５５】
前記内容は、ＡＣＳＩ−ＲＳ（非周期的ＣＳＩ−ＲＳ）が非周期的ＣＳＩ要求とともに端末に送信されときの環境を考慮した。すなわち、ＣＳＩの計算のためのＡＣＳＩ−ＲＳ送信時点からの時間は、非周期的ＣＳＩ要求を受信した時点からの時間と同一である。
【０２５６】
しかしながら、ＡＣＳＩ−ＲＳの送信時点が非周期的ＣＳＩ要求と分離される場合、上記フィードバックタイミングのためのｋ１、ｋ２を非周期的ＣＳＩ要求時点から定義すると、実際ＡＣＳＩ−ＲＳを使用してＣＳＩを計算するのに必要な時間とは意味が変わる可能性がある。従って、ｋｉ、ｋ、ＴｉをＡＣＳＩ−ＲＳの送信が行われた時点からＣＳＩがフィードバックされる時点までの時間と定義することができる。
【０２５７】
すなわち、上述したリファレンスリソースと定義されたサブフレーム（又は、これに準ずるリソース）が非周期的ＣＳＩ要求が送信された時点ではなく、ＡＣＳＩ−ＲＳが送信された時点と定義されることを意味する。
【０２５８】
ここで、ＡＣＳＩ−ＲＳの指示（indication）が非周期的ＣＳＩ要求と分離されるか否かによって以下のような状況に区分されることができる。
【０２５９】
（Ｃａｓｅ１）
【０２６０】
Ｃａｓｅ１は、非周期的ＣＳＩ要求のようなＤＣＩに、又はその時点以後に送信される別のＤＣＩにＡＣＳＩ−ＲＳ送信時点を指示（indication）する方法に関する。
【０２６１】
この場合は、前記提案１〜４を、非周期的ＣＳＩ要求時点ｎの代わりにＡＣＳＩ−ＲＳの送信時点ｍからｋｉ、ｋ、Ｔｉが定義されることに代替して使用することができる。例えば、グループＫｉに対してｋｉが定義された場合、ＣＳＩフィードバックの時点は、上述した内容のｎ＋ｋｉの代わりに図６のようにｍ＋ｋｉになり得る。
【０２６２】
図７は、別途のＤＣＩにＡＣＳＩ−ＲＳ指示が送信されるが、該当ＤＣＩが非周期的ＣＳＩ要求が含まれたＤＣＩと同時か又はより後に送信される場合を示す。
【０２６３】
この場合も、上述した内容の提案１〜４を、非周期的ＣＳＩ要求時点ｎの代わりにＡＣＳＩ−ＲＳの送信時点ｍからｋｉ、ｋ、Ｔｉが定義されることに代替して使用することができる。ただ、図６の例示とは異なり、非周期的ＣＳＩ要求はリファレンスリソースになるＡＣＳＩ−ＲＳを直接指定する代わりに、当該ＡＣＳＩ−ＲＳに関する内容を含むＤＣＩを指定することができる。
【０２６４】
（Ｃａｓｅ２）
【０２６５】
Ｃａｓｅ２は、ＡＣＳＩ−ＲＳを指示（indication）する別途のＤＣＩ（ＵＬ、ＤＬ）が非周期的ＣＳＩ要求より先行することに関する。
【０２６６】
この場合は特徴的に、非周期的ＣＳＩ要求よりＡＣＳＩ−ＲＳが先に送信されることができる。このため、図８のように、非周期的ＣＳＩ報告ｍ＋ｋｉ時点が非周期的ＣＳＩ要求時点より先行する。従って、この場合、実際非周期的ＣＳＩ報告時点の最小値ｋｍｉｎが定義されることができる。ここで、ｋｍｉｎは、以下の（ｉ）及び（ｉｉ）のように使うことができる。
【０２６７】
（ｉ）非周期的ＣＳＩ報告時点は、Ｍａｘ（ｍ＋ｋｉ，ｎ＋１）と定義されることができる。
【０２６８】
（ｉｉ）ｍ＋ｋｉ＜ｎ＋１の場合、該当ＡＣＳＩ−ＲＳを使用したグループＫｉのＣＳＩ報告は行わない。
【０２６９】
前記２つのＣａｓｅに共通で、グループＫｉに対する（非周期的）ＣＳＩ要求をＣＳＩフィードバック時点と共に基地局が端末に送信した場合（例えば、グループＫ間に共通Ｔｉ定義及び当該セット内でのインデックス指定）、ＣＳＩフィードバック時点から少なくともｋｉ前にはＡＣＳＩ−ＲＳが送信される必要がある。
【０２７０】
従って、基地局がグループＫiのＣＳＩを報告するようにトリガーした場合、端末は、（（非周期的）ＣＳＩの報告の時点−ｋｉ）以後にＡＣＳＩ−ＲＳが送信されることを期待せず、当該時点以前に送信されたＡＣＳＩ−ＲＳを利用してＣＳＩを計算する。
【０２７１】
もし、基地局がＡＰ ＣＳＩ−ＲＳを（ＡＰ ＣＳＩの報告の時点−ｋｉ）以後に送信する場合、端末は、ＣＳＩ報告を省略（omit）するか、ＣＳＩをアップデートせずに報告することができる。
【０２７２】
前記方式と関連づけて、非周期的ＣＳＩ−ＲＳを使用するＣａｓｅと周期的／半持続的（periodic/semi-persistent）ＣＳＩ−ＲＳを使用するＣａｓｅに対して異なるＣＳＩ報告タイミング（候補値）が定義／設定される。
【０２７３】
具体的に、非周期的ＣＳＩ−ＲＳを使用する場合、ＣＳＩタイミング＝０（例えば、Ａ−ＣＳＩトリガーを端末が受信した同一サブフレーム／スロットにおいてＡ−ＣＳＩを報告）は許容されず、周期的／半持続的ＣＳＩ−ＲＳを使用する場合、ＣＳＩタイミング＝０は許容される。
【０２７４】
これは、周期的／半持続的ＣＳＩ−ＲＳのような場合、以前のサブフレーム／スロットにおいて送信されたＣＳＩ−ＲＳがＡ−ＣＳＩの計算に使用されることができるためである。
【０２７５】
ＴｙｐｅＩＩコードブックに対しても類似した方式を適用することができる。ＴｙｐｅＩＩコードブックは、従来のコードブックより高いレゾリューション（resolution）のＰＭＩを基地局に報告するための方式であり、既存のＴｙｐｅＩコードブックよりさらに多くの計算量を有する。
【０２７６】
従って、端末が報告しようとするＰＭＩがＴｙｐｅＩコードブックである場合とＴｙｐｅＩＩコードブックである場合とにおいて、異なるＣＳＩ報告タイミング（候補値が設定されることができる。
【０２７７】
具体的に、ＴｙｐｅＩＩコードブックである場合は、短いＣＳＩ報告タイミング（候補値が定義／設定されないことがある。
【０２７８】
これと類似して、ＴｙｐｅＩＩコードブックの報告のためのペイロードサイズ（payload size）が非常に大きくなる可能性があるため、そのペイロードサイズを減らすために、ｐａｒｔＩ／ｐａｒｔ ＩＩ ＣＳＩが定義される。
【０２７９】
端末は、このうち、ｐａｒｔＩＩ ＣＳＩ（例えば、サブバンドＣＳＩ）の一部又は全部を優先順位（priority）によって報告しないことがある。このような場合、上述と類似した理由でＣＳＩの計算量を減らすことができる。
【０２８０】
従って、Ａ−ＣＳＩがｐａｒｔＩのみを含む場合と、ｐａｒｔＩＩの一部又は全部を含む場合とによって、異なるＣＳＩ報告タイミング（候補値）が定義／設定されることができる。このような方式は、当該ＣＳＩのペイロードサイズによってｐａｒｔＩＩ ＣＳＩの報告が決定されるので、この方式は、Ａ−ＣＳＩの報告のためのペイロードサイズによって異なるＣＳＩ報告タイミング（候補値）が定義／設定される方式で実現されることができる。
【０２８１】
上述した方式は、ＣＳＩ報告タイミング（候補値）が端末のＣＳＩ計算能力を考慮して定義／設定される方式である。これとは異なる方式で、端末は、各ＣＳＩの計算によって実際に計算に必要な「ＣＳＩ計算リソース（computation resource）」を基地局に報告し、基地局は、これによって、当該端末のＣＳＩ計算能力を考慮してＡ−ＣＳＩ報告タイミング（候補値）を適合するように指定することができる。
【０２８２】
このようなＣＳＩ計算リソースは、１）該当ＣＳＩの単位時間当たりの演算量と、２）プロセッサ占有時間とから構成されることができる（これは、図１２の例示においてより具体的に説明する。）。または、端末は、「該当ＣＳＩの単位時間当たりの演算量」を基地局に報告するとき、自分の最大（単位時間当たり）演算量に対する割合を基地局に報告することができる。
【０２８３】
このような方式は、端末が該当ＣＳＩ計算を割り当てる（allocation）優先順位（例えば、ｔｉｍｅ−ｆｉｒｓｔ又はｐｒｏｃｅｓｓｏｒ−ｆｉｒｓｔ）を共に基地局に報告するか、又は２つのうち１つの方式を使用する方式を仮定して動作（例えば、最小限の時間消費のために、ｐｒｏｃｅｓｓｏｒ−ｆｉｒｓｔ方式が優先する）することができる。
【０２８４】
これに加えて、端末は、基地局に自分のプロセッサの最大（単位時間当たり）演算量を基地局に（ＵＥ能力として）知らせることができる。これは、図９のように、単位時間当たり（ＣＳＩ）演算量を示し、図９に示すボックスの高さと類似に理解されることができる。すなわち、これは、後述する各ＣＳＩを配置する「ｇｒｉｄ」のように理解されることができる。
【０２８５】
前述したようなプロセッサは、ＣＳＩの計算量及び占有時間によって図１２の例示のように占有／使用されることができる。
【０２８６】
図１０において、各ブロックは異なるＣＳＩ計算を示し、各ＣＳＩ計算が該当ブロックにより図式化しただけの前記プロセッサの計算能力／時間を占有していることを示す。
【０２８７】
図１０の例示において、時間１ではＣＳＩ１の計算が全てのプロセッサの計算能力を使用してＣＳＩを計算している。時間２ではＣＳＩ２の計算が該当プロセッサの計算能力の半分を使用して時間２単位の間、計算を行っており、時間３で始まるＣＳＩ３の計算と端末の計算能力を共有することになる。
【０２８８】
すなわち、端末は、一般的な演算（例えば、ＰＵＳＣＨプロセッシングも該当プロセッサを使用して処理）、又は／及びＣＳＩに特化された演算のためのプロセッサを有し、当該プロセッサは、時間当たりに処理できる演算能力を（例えば、上記図式において縦軸で表現される）有している。
【０２８９】
ここで、端末が計算する対象ＣＳＩの計算に必要な時間（例えば、上記図式において横軸で表現される）は、当該ＣＳＩの計算に必要なトータル演算量を該当プロセッサが該当ＣＳＩの計算のために使用する単位時間当たりの演算能力により割った値になり得る。
【０２９０】
前述したように各ＣＳＩの計算リソース占有をブロックで示す方式は、実際の状況（例えば、計算量及びプロセッサ占有時間は量子化されていない）を単純化して示したものである。これは、基地局−端末の両方において実際のＣＳＩ計算に使用される単位時間当たりの演算量／プロセッサ占有時間をもっと単純に決定／伝達できるようにするために単位時間当たりの演算量／プロセッサ占有時間を特定の単位（granularity）で量子化（quantize）して示す方式である。
【０２９１】
ここで、量子化する単位は、時間軸としては絶対時間（例えば、１ｍｓ）、スロットｔ、又はシンボルになり得るし、このような方式は、当該ＣＳＩの測定／計算が指定されたＢＷＰ（bandwidth part）のサブキャリア間隔と関連して定義／設定されることができる。
【０２９２】
基地局に端末のプロセッシング能力を報告するとき、端末は、自分の並列（parallel）プロセッサ数字又は／及び各プロセッサの演算能力を報告することができる。端末の立場から、ＣＳＩ計算のためのプロセッサの形態は、図１３の例示のようである。
【０２９３】
図１１は、それぞれＣＳＩ計算のためのプロセッサを図式化している。
【０２９４】
以下、（ａ）は、図１１ないし図１３の（ａ）に示すプロセッサを含む端末を意味し、（ｂ）は、図１１ないし図１３の（ｂ）に示すプロセッサを含む端末を意味し、（ｃ）は、図１１ないし図１３の（ｃ）に示すプロセッサを含む端末を意味する。
【０２９５】
図１１において、（ａ）を基準に、（ｂ）は２倍大きいプロセッサを搭載し、（ｃ）は（ａ）と同一のプロセッサを並列に２つ搭載している。
【０２９６】
この場合、図１２に示すように、（ａ）を基準に、（ｂ）は、単位時間当たり計算能力がより高くて（例えば、２倍）（ａ）端末より２倍多い計算を同一の時間に行うか、又は同一の計算を半分の時間に行うことができる。
【０２９７】
（ａ）を基準に（ｃ）は、単位時間当たり計算能力が同一であるプロセッサを２つ有しているので、（ｂ）と類似に（ａ）端末より２倍多い計算を同一の時間に行うか、又は同一の計算を半分の時間に行うことができる。
【０２９８】
図１３を参考して（ｂ）と（ｃ）が異なる点について説明すると、（ｃ）は、独立した２つの計算（例えば、異なるＣＳＩプロセス又は報告セッティング（reporting setting））は（ａ）に比べて半分の時間内に行うことができる。
【０２９９】
しかしながら、１つの計算を２つのプロセッサで同時に行うことはできないため、１つの複雑な計算をしようとする場合、（ｃ）は（ａ）に比べて当該計算のときに時間的利益を得ることのできない可能性がある。（例えば、（ｃ）では、２つのうち１つのプロセッサのみがＣＳＩ計算に使用され、残りの１つのプロセッサは計算を行わずにｉｄｌｅ状態で残っている可能性がある。）
【０３００】
それに対して、（ｂ）は、１つの複雑な計算であるか又は独立した２つの計算であるかに関係なく、当該計算を（ａ）に比べて半分の時間内に行うことができる。
【０３０１】
例えば、（ｂ）端末と（ｃ）端末は、２単位の計算が必要なＣＳＩ（例えば、図１０のように、２ブロックを使用することと表現されるＣＳＩ）の計算において、図１３に示すように異なる可能性がある。
【０３０２】
それに対して、（ｃ）のような場合は、１つの大きなプロセッサより低廉に実現できるため、端末を実現するときにさらに好まれることがある。
【０３０３】
前記のような方式は、ＵＥ能力の代わりに、基地局が端末に設定した各報告セッティングに対して端末が各報告セッティングによるＣＳＩ計算リソースを基地局に報告する方式となり得る。
【０３０４】
または、前記の方式と類似して、ＣＳＩ計算だけでなくＣＳＩ測定＋ＣＳＩ計算に必要なリソースの意味として基地局は報告を受けることができる。このような方式は、実際にＣＳＩの測定と計算は１つのプロセッシングと見ることができ、また端末においてＣＳＩの測定と計算を同時に行う場合、両動作を区分できないため、１つとして見なすことが好ましい可能性があるためである。同時に、ＣＳＩをＰＵＳＣＨ（又は、ＰＵＣＣＨ）に報告するためのプロセッシングに必要な時間は含まれることができる。
【０３０５】
上記において、ＣＳＩの計算目的のために独立したプロセッサが設定される場合について重点的に説明したが、そうではなく、該当プロセスの一部又は全部が異なる目的（例えば、ＰＵＳＣＨの送信）に対して使用される場合にも類似して使用されることができる。
【０３０６】
このような場合、基地局は、当該プロセッサをＰＵＳＣＨとＣＳＩ計算に同時に使用する。従って、上述と類似にＣＳＩプロセッシングはＰＵＳＣＨプロセッシングと計算力（computational power）（例えば、計算リソース（computation resource））を共有して計算することができる。（従って、ＰＵＳＣＨとＣＳＩが同時にプロセッシングされなければならない場合、ＣＳＩのみがプロセッシングされる場合よりＣＳＩ計算／報告にかかる時間が長くなる可能性がある。）
【０３０７】
上記技術の実際の適用時には、上記技術の単独又は組み合わせで適用されることができる。
【０３０８】
すなわち、前述した提案又は方法は、本明細書で提案するＣＳＩフィードバックタイミングの設定方法を提供するために、単独又は組み合わせ（又は、結合）で適用されることができる。
【０３０９】
また、本特許は、説明の便宜のために、３ＧＰＰ ＬＴＥシステムに基づいて提案方式を説明したが、提案方式が適用されるシステムの範囲は３ＧＰＰ ＬＴＥシステム以外に他のシステム（例えば、ＵＴＲＡなど）、特に５Ｇ及びその候補の技術にも拡張可能である。
【０３１０】
図１４は、本明細書で提案するＣＳＩ報告を行う端末の動作方法の一例を示したフローチャートである。
【０３１１】
図１４を参照して、無線通信システムにおいてＣＳＩ（Channel State Information）を報告（report）する方法において、端末により行われる方法を説明する。
【０３１２】
端末は、ＣＳＩ報告をトリガーする（triggering）情報を含むダウンリンク制御情報（downlink control information：ＤＣＩ）を基地局から受信する（Ｓ１４１０）。
【０３１３】
そして、前記端末は、前記ＣＳＩを計算するための時間と関連したシンボルの数に基づいて前記ＣＳＩを計算（computation）する（Ｓ１４２０）。
【０３１４】
そして、前記端末は、前記ＣＳＩ報告を基地局に送信する（Ｓ１４３０）。
【０３１５】
前記ＣＳＩを計算するための時間と関連したシンボルの数はアンテナポート（antenna port）の数に関する情報、ＣＳＩ−ＲＳリソースに関する情報、帯域幅単位（bandwidth granularity）に関する情報、及びＣＳＩコードブックタイプ（codebook type）に関する情報に基づいて定義されることができる。
【０３１６】
前記ＣＳＩを計算するための時間と関連したシンボルは、Ｚ又はＺ’で表現されることもできる。
【０３１７】
ここで、Ｚ’は、ＺにおいてＣＳＩをトリガーする情報を含むＤＣＩをデコードする時間を除いた時間と関連する。
【０３１８】
追加的に、前記端末は、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信することができる。
【０３１９】
前記制御情報は、ＲＲＣシグナリング（signaling）に含まれることができる。
【０３２０】
前記帯域幅単位は、広帯域（wideband）又はサブバンド（subband）を示すことができる。
【０３２１】
前記ＣＳＩコードブックタイプは、ＣＳＩコードブックタイプ１又はＣＳＩコードブックタイプ２を示すことができる。
【０３２２】
図１４および図１６ないし図１９に基づいて、ＣＳＩを報告する方法が端末で実現される内容について具体的に説明する。
【０３２３】
無線通信システムにおいてＣＳＩ（Channel State Information）を報告（report）するための端末は、無線信号を送受信するためのＲＦ（Radio Frequency）モジュールと、前記ＲＦモジュールと機能的に接続されるプロセッサとを含む。
【０３２４】
前記端末のプロセッサは、ＣＳＩ報告をトリガーする（triggering）情報を含むダウンリンク制御情報（downlink control information：ＤＣＩ）を基地局から受信するように前記ＲＦモジュールを制御する。
【０３２５】
また、前記端末のプロセッサは、前記ＣＳＩを計算するための時間と関連したシンボルの数に基づいて前記ＣＳＩを計算（computation）するように制御する。
【０３２６】
また、前記端末のプロセッサは、前記ＣＳＩ報告を基地局に送信するように前記ＲＦモジュールを制御する。
【０３２７】
前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及びＣＳＩコードブックタイプ（codebook type）に関する情報に基づいて定義されることができる。
【０３２８】
追加的に、前記端末のプロセッサは、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記基地局から受信するように前記ＲＦモジュールを制御することができる。
【０３２９】
前記制御情報は、ＲＲＣシグナリング（signaling）に含まれることができる。
【０３３０】
前記帯域幅単位は、広帯域（wideband）又はサブバンド（subband）を示し、前記ＣＳＩコードブックタイプは、ＣＳＩコードブックタイプ１又はＣＳＩコードブックタイプ２を示すことができる。
【０３３１】
図１５は、本明細書で提案するＣＳＩ報告を受信する基地局の動作方法の一例を示すフローチャートである。
【０３３２】
図１５を参照して、無線通信システムでＣＳＩ（Channel State Information）を報告（report）する方法において、基地局により行われる方法を説明する。
【０３３３】
前記基地局は、ＣＳＩ報告をトリガーする（triggering）情報を含むダウンリンク制御情報（downlink control information：ＤＣＩ）を端末に送信する（Ｓ１５１０）。
【０３３４】
また、前記基地局は、前記ＣＳＩ報告を前記端末から受信する（Ｓ１５２０）。
【０３３５】
前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及びＣＳＩコードブックタイプ（codebook type）に関する情報に基づいて定義されることができる。
【０３３６】
追加的に、前記基地局は、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記端末に送信することができる。
【０３３７】
前記制御情報は、ＲＲＣシグナリング（signaling）に含まれることができる。
【０３３８】
前記帯域幅単位は、広帯域（wideband）又はサブバンド（subband）を示し、前記ＣＳＩコードブックタイプは、ＣＳＩコードブックタイプ１又はＣＳＩコードブックタイプ２を示すことができる。
【０３３９】
図１５ないし図１９に基づいて、ＣＳＩを報告する方法が基地局で実現される内容について具体的に説明する。
【０３４０】
無線通信システムにおいてＣＳＩ（Channel State Information）を報告（report）するための基地局は、無線信号を送受信するためのＲＦ（Radio Frequency）モジュールと、前記ＲＦモジュールと機能的に接続されているプロセッサとを含む。
【０３４１】
前記基地局のプロセッサは、ＣＳＩ報告をトリガーする（triggering）情報を含むダウンリンク制御情報（downlink control information：ＤＣＩ）を端末に送信するように前記ＲＦモジュールを制御する。
【０３４２】
また、前記基地局のプロセッサは、前記ＣＳＩ報告を前記端末から受信するように前記ＲＦモジュールを制御する。
【０３４３】
前記ＣＳＩを計算するための時間と関連したシンボルの数は、アンテナポート（antenna port）の数に関する情報、ＣＳＩ−ＲＳリソースに関する情報、帯域幅単位（bandwidth granularity）に関する情報、及びＣＳＩコードブックタイプ（codebook type）に関する情報に基づいて定義されることができる。
【０３４４】
追加的に、前記基地局のプロセッサは、前記アンテナポートの数に関する情報、前記ＣＳＩ−ＲＳリソースに関する情報、前記帯域幅単位に関する情報、及び、前記ＣＳＩコードブックタイプに関する情報のうち少なくとも１つを含む制御情報を前記端末に送信するように前記ＲＦモジュールを制御することができる。
【０３４５】
前記制御情報は、ＲＲＣシグナリング（signaling）に含まれることができる。
【０３４６】
前記帯域幅単位は、広帯域（wideband）又はサブバンド（subband）を示し、前記ＣＳＩコードブックタイプは、ＣＳＩコードブックタイプ１又はＣＳＩコードブックタイプ２を示すことができる。
【０３４７】
本発明が適用できる装置一般
【０３４８】
図１６は、本明細書で提案する方法が適用できる無線通信装置のブロック構成図を示す。
【０３４９】
図１６に示すように、無線通信システムは、基地局１６１０と、基地局領域内に位置する複数の端末１６２０とを含む。
【０３５０】
前記基地局と端末は、それぞれ無線装置で表現されることもできる。
【０３５１】
基地局は、プロセッサ（processor）１６１１、メモリ（memory）１６１２、及びＲＦモジュール（radio frequency module）１６１３を含む。プロセッサ１６１１は、図１ないし図１５において提案された機能、過程、及び／又は方法を実現する。無線インタフェースププロトコルの階層はプロセッサにより実現されることができる。メモリは、プロセッサと接続されて、プロセッサを駆動するための様々な情報を保存する。ＲＦモジュールは、プロセッサと接続されて、無線信号を送信及び／又は受信する。
【０３５２】
端末は、プロセッサ１６２１、メモリ１６２２、及びＲＦモジュール１６２３を含む。
【０３５３】
プロセッサは、図１ないし図１５で提案された機能、過程及び／又は方法を実現する。無線インタフェースププロトコルの階層は、プロセッサにより実現されることができる。メモリは、プロセッサと接続されて、プロセッサを駆動するための様々な情報を保存する。ＲＦモジュールは、プロセッサと接続されて、無線信号を送信及び／又は受信する。
【０３５４】
メモリ１６１２、１６２２は、プロセッサ１６１１、１６２１の内部又は外部に位置し、公知の多様な手段でプロセッサと接続されることができる。
【０３５５】
また、基地局及び／又は端末は、１つのアンテナ（single antenna）又は複数のアンテナ（multiple antenna）を有することができる。
【０３５６】
アンテナ１６１４、１６２４は、無線信号を送信及び受信する機能を果たす。
【０３５７】
図１７は、本発明の一実施形態による通信装置のブロック構成図を示す。
【０３５８】
特に、図１７は、図１６の端末をより詳細に例示する図である。
【０３５９】
図１７に示すように、端末は、プロセッサ（又は、デジタル信号プロセッサ（ＤＳＰ：digital signal processor）１７１０、ＲＦモジュール（RF module）（又は、ＲＦユニット）１７３５、パワー管理モジュール（power management module）１７０５、アンテナ（antenna）１７４０、バッテリー（battery）１７５５、ディスプレイ（display）１７１５、キーパッド（keypad）１７２０、メモリ（memory）１７３０、ＳＩＭカード（SIM（Subscriber Identification Module）card）１７２５（この構成は、選択的である）、スピーカ（speaker）１７４５、及びマイクロホン（microphone）１７５０を含んで構成される。端末は、また、単一のアンテナ又は複数のアンテナを含むことができる。
【０３６０】
プロセッサ１７１０は、図１ないし図１５で提案された機能、過程及び／又は方法を実現する。無線インタフェースププロトコルの階層は、プロセッサにより実現されることができる。
【０３６１】
メモリ１７３０は、プロセッサと接続され、プロセッサの動作に関連する情報を保存する。メモリは、プロセッサの内部又は外部に存在することができ、公知の多様な手段でプロセッサと接続されることができる。
【０３６２】
ユーザは、例えば、キーパッド１７２０のボタンを押すか（又は、タッチするか）又はマイクロホン１７５０を利用した音声駆動（voice activation）により電話番号などの命令情報を入力する。プロセッサは、このような命令情報を受信し、電話番号で電話をかけるなどの適切な機能を果たすように処理する。駆動上のデータ（operational data）は、ＳＩＭカード１７２５又はメモリ１７３０から抽出することができる。また、プロセッサは、使用者の認知及び便宜のために命令情報又は駆動情報をディスプレイ１７１５上に表示することができる。
【０３６３】
ＲＦモジュール１７３５は、プロセッサに接続されて、ＲＦ信号を送信及び／又は受信する。プロセッサは、通信を開始するために、例えば、音声通信データを構成する無線信号を送信するように命令情報をＲＦモジュールに伝達する。ＲＦモジュールは、無線信号を受信及び送信するために受信機（receiver）及び送信機（transmitter）で構成される。アンテナ１７４０は、無線信号を送信及び受信する機能を果たす。無線信号を受信するとき、ＲＦモジュールは、プロセッサにより処理するために信号を伝達し、ベースバンドに信号を変換することができる。処理された信号は、スピーカ１７４５を介して出力されるサービス又は可聴又は可読情報に変換されることができる。
【０３６４】
図１８は、本明細書で提案する方法が適用できる無線通信装置のＲＦモジュールの一例を示す図である。
【０３６５】
具体的に、図１８は、ＦＤＤ（Frequency Division Duplex）システムにおいて実現できるＲＦモジュールの一例を示す。
【０３６６】
まず、送信経路において、図１６及び図１７で記述されたプロセッサは、送信されるデータを処理してアナログ出力信号を送信機１８１０に提供する。
【０３６７】
送信機１８１０内で、アナログ出力信号は、デジタル対アナログ変換（ＡＤＣ）により発生するイメージを除去するためにローパスフィルタ（Low Pass Filter：ＬＰＦ）１８１１によりフィルタリングされ、上向変換機（Mixer）１８１２によりベースバンドからＲＦに上方変換され、可変利得増幅器（Variable Gain Amplifier：ＶＧＡ）１８１３により増幅され、増幅された信号はフィルタ１８１４によりフィルタリングされ、電力増幅器（Power Amplifier：ＰＡ）１８１５によりさらに増幅され、デュプレクサ１８５０／アンテナスイッチ１８６０を介してルーティングされ、アンテナ１８７０を介して送信される。
【０３６８】
また、受信経路において、アンテナは、外部から信号を受信して受信された信号を提供し、この信号は、アンテナスイッチ１８６０／デュプレクサ１８５０を介してルーティングされ、受信機１８２０に提供される。
【０３６９】
受信機１８２０内において、受信された信号は低雑音増幅器（Low Noise Amplifier：ＬＮＡ）１８２３により増幅され、帯域通過フィルタ１８２４によりフィルタリングされ、下向変換機（Mixer）１８２５によりＲＦからベースバンドに下方変換される。
【０３７０】
前記下方変換された信号は、ローパスフィルタ（ＬＰＦ）１８２６によりフィルタリングされ、ＶＧＡ２２２７により増幅されてアナログ入力信号を取得し、これは、図１６及び図１７で記述されたプロセッサに提供される。
【０３７１】
また、局部｛きょくぶ｝発振器（local oscillator：ＬＯ）発生器１８４０は、送信及び受信ＬＯ信号を発生し、上方変換機１８１２及び下方変換機１８２５にそれぞれ提供する。
【０３７２】
また、位相ロックループ（Phase Locked Loop：ＰＬＬ）１８３０は、適切な周波数で送信及び受信ＬＯ信号を生成するためにプロセッサから制御情報を受信し、制御信号をＬＯ発生器１８４０に提供する。
【０３７３】
また、図１８に示す回路は、図１８に示す構成と異なるように配列されることもできる。
【０３７４】
図１９は、本明細書で提案する方法が適用できる無線通信装置のＲＦモジュールのまた他の一例を示す図である。
【０３７５】
具体的に、図１９は、ＴＤＤ（Time Division Duplex）システムで実現できるＲＦモジュールの一例を示す。
【０３７６】
ＴＤＤシステムにおけるＲＦモジュールの送信機１９１０及び受信機１９２０は、ＦＤＤシステムにおけるＲＦモジュールの送信機及び受信機の構造と同一である。
【０３７７】
以下、ＴＤＤシステムのＲＦモジュールは、ＦＤＤシステムのＲＦモジュールと異なる構造についてのみ説明し、同一の構造については図１８の説明を参照する。
【０３７８】
送信機の電力増幅器（Power Amplifier：ＰＡ）１９１５により増幅された信号は、バンド選択スイッチ（Band Select Switch）１９５０、バンドパスフィルタ（ＢＰＦ）１９６０、及びアンテナスイッチ１９７０を介してルーティングされ、アンテナ１９８０を介して送信される。
【０３７９】
また、受信経路において、アンテナは外部から信号を受信して受信された信号を提供し、この信号は、アンテナスイッチ１９７０、バンドパスフィルタ１９６０、及びバンド選択スイッチ１９５０を介してルーティングされ、受信機１９２０に提供される。
【０３８０】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求の範囲で明示的な引用関係がない請求項を結合して実施形態を構成するか、または出願後の補正により新たな請求項に含めることができることは自明である。
【０３８１】
本発明に従う実施形態は、多様な手段、例えば、ハードウェア、ファームウェア（firmware）、ソフトウェア、またはそれらの結合などにより具現化できる。ハードウェアによる具現化の場合、本発明の一実施形態は１つまたはその以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラー、マイクロコントローラー、マイクロプロセッサなどにより具現化できる。
【０３８２】
ファームウェアやソフトウェアによる具現化の場合、本発明の一実施形態は以上で説明された機能または動作を実行するモジュール、手続、関数などの形態に具現化できる。ソフトウェアコードはメモリに格納されてプロセッサにより駆動できる。前記メモリは前記プロセッサの内部または外部に位置し、既に公知の多様な手段により前記プロセッサとデータをやり取りすることができる。
【０３８３】
本発明は本発明の必須の特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３８４】
本発明の無線通信システムにおいてＣＳＩを報告する方法は、３ＧＰＰ ＬＴＥ／ＬＴＥ−Ａシステム、５Ｇシステム（Ｎｅｗ ＲＡＴシステム）に適用される例を中心に説明したが、それ以外にも多様な無線通信システムに適用することが可能である。
【図１】
2020504512.tif 000022
【図２】
2020504512.tif 000023
【図３】
2020504512.tif 000024
【図４】
2020504512.tif 000025
【図５（ａ）】
2020504512.tif 000026
【図５（ｂ）】
2020504512.tif 000027
【図６（ａ）】
2020504512.tif 000028
【図６（ｂ）】
2020504512.tif 000029
【図７（ａ）】
2020504512.tif 000030
【図７（ｂ）】
2020504512.tif 000031
【図８（ａ）】
2020504512.tif 000032
【図８（ｂ）】
2020504512.tif 000033
【図９】
2020504512.tif 000034
【図１０】
2020504512.tif 000035
【図１１】
2020504512.tif 000036
【図１２】
2020504512.tif 000037
【図１３】
2020504512.tif 000038
【図１４】
2020504512.tif 000039
【図１５】
2020504512.tif 000040
【図１６】
2020504512.tif 000041
【図１７】
2020504512.tif 000042
【図１８】
2020504512.tif 000043
【図１９】
2020504512.tif 000044
【国際調査報告】
2020504512.tif 000045
2020504512.tif 000046
2020504512.tif 000047
2020504512.tif 000048